(57)【特許請求の範囲】
【請求項１】
ユーザーが運動した運動量を示す運動エネルギーを管理する運動エネルギー管理システムであって、
前記運動エネルギーを取得する運動エネルギー取得手段と、
前記運動エネルギー取得手段によって取得された運動エネルギーを充電エネルギーとして管理する充電エネルギー管理手段と、
前記充電エネルギー管理手段によって管理されている充電エネルギーを提示する充電エネルギー提示手段と、を備え、
前記充電エネルギー管理手段は、
前記運動エネルギー取得手段によって取得された運動エネルギーが閾値以上であるか否かを判定する充電エネルギー判定手段と、
前記充電エネルギー判定手段によって前記運動エネルギーが閾値以上であると判定された場合、当該運動エネルギーを充電エネルギーとして蓄積する充電エネルギー蓄積手段と、
前記充電エネルギー蓄積手段によって充電エネルギーが蓄積されて所定時間経過後に、前記蓄積されている充電エネルギーが０となるように単位時間当たり所定量を消耗させる充電エネルギー消耗手段と、を含み、
前記充電エネルギー提示手段は、前記充電エネルギー蓄積手段によって充電エネルギーが蓄積された時点で蓄積されている充電エネルギーに対して、蓄積されている充電エネルギーの割合である充電エネルギーメーターを表示する充電エネルギーメーター表示手段を含み、
前記充電エネルギーメーター表示手段は、前記充電エネルギー蓄積手段によって充電エネルギーが蓄積された場合、前記充電エネルギーメーターを最大に更新する、運動エネルギー管理システム。
【請求項２】
ユーザーが運動した運動量を示す運動エネルギーを管理する運動エネルギー管理システムであって、
前記運動エネルギーを取得する運動エネルギー取得手段と、
前記運動エネルギー取得手段によって取得された運動エネルギーを充電エネルギーとして管理する充電エネルギー管理手段と、
前記充電エネルギー管理手段によって管理されている充電エネルギーを提示する充電エネルギー提示手段と、を備え、
前記充電エネルギー管理手段は、
前記運動エネルギー取得手段によって取得された運動エネルギーが閾値以上であるか否かを判定する充電エネルギー判定手段と、
前記充電エネルギー判定手段によって前記運動エネルギーが閾値以上であると判定された場合、当該運動エネルギーを充電エネルギーとして蓄積する充電エネルギー蓄積手段と、
前記充電エネルギー蓄積手段によって充電エネルギーが蓄積されて所定時間経過後に、前記蓄積されている充電エネルギーが０となるように単位時間当たり所定量を消耗させる充電エネルギー消耗手段と、を含み、
前記充電エネルギー提示手段は、前記充電エネルギー蓄積手段によって充電エネルギーが蓄積された時点で蓄積されている充電エネルギーに対して、蓄積されている充電エネルギーの割合である充電エネルギーメーターを表示する充電エネルギーメーター表示手段を含み、
前記充電エネルギーメーター表示手段は、前記充電エネルギーメーター表示手段によって表示される充電エネルギーメーターが０にならずに維持された日数を表示する継続日数表示手段を含む、運動エネルギー管理システム。
【請求項３】
前記充電エネルギーメーター表示手段は、前記充電エネルギーメーター表示手段によって表示される充電エネルギーメーターが０となるまでの残時間を表示する残時間表示手段を含むことを特徴とする、請求項１または請求項２に記載の運動エネルギー管理システム。
【請求項４】
ユーザーが運動した運動量を示す運動エネルギーを管理する運動エネルギー管理システムであって、
前記運動エネルギーを取得する運動エネルギー取得手段と、
前記運動エネルギー取得手段によって取得された運動エネルギーを充電エネルギーとして管理する充電エネルギー管理手段と、
前記充電エネルギー管理手段によって管理されている充電エネルギーを提示する充電エネルギー提示手段と、を備え、
前記充電エネルギー管理手段は、
前記運動エネルギー取得手段によって取得された運動エネルギーが閾値以上であるか否かを判定する充電エネルギー判定手段と、
前記充電エネルギー判定手段によって前記運動エネルギーが閾値以上であると判定された場合、当該運動エネルギーを充電エネルギーとして蓄積する充電エネルギー蓄積手段と、
前記充電エネルギー蓄積手段によって充電エネルギーが蓄積されて所定時間経過後に、前記蓄積されている充電エネルギーが０となるように単位時間当たり所定量を消耗させる充電エネルギー消耗手段と、を含み、
前記充電エネルギー提示手段は、前記充電エネルギー蓄積手段によって充電エネルギーが蓄積された時点で蓄積されている充電エネルギーに対して、蓄積されている充電エネルギーの割合である充電エネルギーメーターを表示する充電エネルギーメーター表示手段を含み、
前記充電エネルギーメーター表示手段は、前記充電エネルギーメーター表示手段によって表示される充電エネルギーメーターが０となるまでの残時間を表示する残時間表示手段を含み、
前記残時間表示手段は、前記充電エネルギー蓄積手段によって充電エネルギーが蓄積された場合、前記残時間を最大残時間に更新する、運動エネルギー管理システム。
【請求項５】
前記充電エネルギー提示手段は、前記運動エネルギー取得手段によって取得された運動エネルギーを充電エネルギーとして所定期間分表示する充電エネルギー表示手段を含むことを特徴とする、請求項１乃至請求項４のいずれかに記載の運動エネルギー管理システム。
【請求項６】
ユーザーが運動した運動量を示す運動エネルギーを管理する運動エネルギー管理システムが実行する運動エネルギー管理方法であって、
前記運動エネルギーを取得する運動エネルギー取得ステップと、
前記運動エネルギー取得ステップで取得された運動エネルギーを充電エネルギーとして管理する充電エネルギー管理ステップと、
前記充電エネルギー管理ステップで管理されている充電エネルギーを提示する充電エネルギー提示ステップと、を含み、
前記充電エネルギー管理ステップは、
前記運動エネルギー取得ステップで取得された運動エネルギーが閾値以上であるか否かを判定する充電エネルギー判定ステップと、
前記充電エネルギー判定ステップで前記運動エネルギーが閾値以上であると判定された場合、当該運動エネルギーを充電エネルギーとして蓄積する充電エネルギー蓄積ステップと、
前記充電エネルギー蓄積ステップで充電エネルギーが蓄積されて所定時間経過後に、前記蓄積されている充電エネルギーが０となるように単位時間当たり所定量を消耗させる充電エネルギー消耗ステップと、を含み、
前記充電エネルギー提示ステップは、前記充電エネルギー蓄積ステップで充電エネルギーが蓄積された時点で蓄積されている充電エネルギーに対して、蓄積されている充電エネルギーの割合である充電エネルギーメーターを表示する充電エネルギーメーター表示ステップを含み、
前記充電エネルギーメーター表示ステップは、前記充電エネルギー蓄積ステップで充電エネルギーが蓄積された場合、前記充電エネルギーメーターを最大に更新する、運動エネルギー管理方法。
【請求項７】
ユーザーが運動した運動量を示す運動エネルギーを管理する運動エネルギー管理システムが実行する運動エネルギー管理方法であって、
前記運動エネルギーを取得する運動エネルギー取得ステップと、
前記運動エネルギー取得ステップで取得された運動エネルギーを充電エネルギーとして管理する充電エネルギー管理ステップと、
前記充電エネルギー管理ステップで管理されている充電エネルギーを提示する充電エネルギー提示ステップと、を含み、
前記充電エネルギー管理ステップは、
前記運動エネルギー取得ステップで取得された運動エネルギーが閾値以上であるか否かを判定する充電エネルギー判定ステップと、
前記充電エネルギー判定ステップで前記運動エネルギーが閾値以上であると判定された場合、当該運動エネルギーを充電エネルギーとして蓄積する充電エネルギー蓄積ステップと、
前記充電エネルギー蓄積ステップで充電エネルギーが蓄積されて所定時間経過後に、前記蓄積されている充電エネルギーが０となるように単位時間当たり所定量を消耗させる充電エネルギー消耗ステップと、を含み、
前記充電エネルギー提示ステップは、前記充電エネルギー蓄積ステップで充電エネルギーが蓄積された時点で蓄積されている充電エネルギーに対して、蓄積されている充電エネルギーの割合である充電エネルギーメーターを表示する充電エネルギーメーター表示ステップを含み、
前記充電エネルギーメーター表示ステップは、前記充電エネルギーメーター表示ステップで表示される充電エネルギーメーターが０にならずに維持された日数を表示する継続日数表示ステップを含む、運動エネルギー管理方法。
【請求項８】
ユーザーが運動した運動量を示す運動エネルギーを管理する運動エネルギー管理システムが実行する運動エネルギー管理方法であって、
前記運動エネルギーを取得する運動エネルギー取得ステップと、
前記運動エネルギー取得ステップで取得された運動エネルギーを充電エネルギーとして管理する充電エネルギー管理ステップと、
前記充電エネルギー管理ステップで管理されている充電エネルギーを提示する充電エネルギー提示ステップと、を含み、
前記充電エネルギー管理ステップは、
前記運動エネルギー取得ステップで取得された運動エネルギーが閾値以上であるか否かを判定する充電エネルギー判定ステップと、
前記充電エネルギー判定ステップで前記運動エネルギーが閾値以上であると判定された場合、当該運動エネルギーを充電エネルギーとして蓄積する充電エネルギー蓄積ステップと、
前記充電エネルギー蓄積ステップで充電エネルギーが蓄積されて所定時間経過後に、前記蓄積されている充電エネルギーが０となるように単位時間当たり所定量を消耗させる充電エネルギー消耗ステップと、を含み、
前記充電エネルギー提示ステップは、前記充電エネルギー蓄積ステップで充電エネルギーが蓄積された時点で蓄積されている充電エネルギーに対して、蓄積されている充電エネルギーの割合である充電エネルギーメーターを表示する充電エネルギーメーター表示ステップを含み、
前記充電エネルギーメーター表示ステップは、前記充電エネルギーメーター表示ステップで表示される充電エネルギーメーターが０となるまでの残時間を表示する残時間表示ステップを含み、
前記残時間表示ステップは、前記充電エネルギー蓄積ステップで充電エネルギーが蓄積された場合、前記残時間を最大残時間に更新する、運動エネルギー管理方法。
【発明の詳細な説明】
【技術分野】
【０００１】
本発明は、ユーザーが運動した運動量を示す運動エネルギーを管理する運動エネルギー管理システムおよび運動エネルギー管理方法に関し、運動エネルギーの蓄積量を提示しながら運動エネルギーを管理する運動エネルギー管理システムおよび運動エネルギー管理方法に関する。
【背景技術】
【０００２】
最近、多くの人々が、主に食べ物から摂取する摂取カロリーや運動することによって消費される消費カロリーに注意しながら、健康に気を遣っている。
【０００３】
人間の健康にとって適度な運動を継続して行うことが重要であるということが知られており、多くの人々は、ウォーキング、ジョギング、およびスポーツジムでのトレーニング等、適度な運動をすることによって健康の維持に努めようとしている。
【０００４】
また、利用者（ユーザー）の健康維持のために考えられた様々なシステムおよびプログラムも開発されており、スポーツジム等の施設においても当該システムおよびプログラムを導入する等して、様々な工夫がなされている。
【０００５】
例えば、ユーザーの運動量情報、運動時間情報、消費カロリー情報、および運動目標情報を管理し、健康管理ユーザーインターフェースを用いることによって各情報をグラフ化してディスプレイに表示する運動量情報管理方法が開発されている（例えば、特許文献１参照）。
【先行技術文献】
【特許文献】
【０００６】
【特許文献１】特開２０１３−１５６９９５号公報
【発明の概要】
【発明が解決しようとする課題】
【０００７】
しかしながら、特許文献１に記載の運動量情報管理方法では、運動量情報、運動時間情報、消費カロリー情報、および運動目標情報等を視覚的に整理されたグラフ等を用いて表示するものの、単に様々な情報を整理しているに過ぎず、ユーザーに対して継続して運動する意欲やモチベーションを維持するような工夫には改善の余地がある。
【０００８】
それ故に、本発明は、上記のような課題に鑑みてなされたものであって、本発明の目的の１つは、ユーザーに対して継続して運動する意欲やモチベーションを向上させるような運動エネルギー管理システムおよび運動エネルギー管理方法を提供することである。
【課題を解決するための手段】
【０００９】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１０】
本発明の一局面に係る運動エネルギー管理システムは、ユーザーが運動した運動量を示す運動エネルギーを管理する運動エネルギー管理システムであって、運動エネルギーを取得する運動エネルギー取得手段と、運動エネルギー取得手段によって取得された運動エネルギーを充電エネルギーとして管理する充電エネルギー管理手段と、充電エネルギー管理手段によって管理されている充電エネルギーを提示する充電エネルギー提示手段と、を備える。
かかる構成により、本発明の一局面に係る運動エネルギー管理システムは、ユーザーに対して継続して運動する意欲やモチベーションを向上させることができる。
【００１１】
また、好ましくは、充電エネルギー管理手段は、運動エネルギー取得手段によって取得された運動エネルギーが閾値以上であるか否かを判定する充電エネルギー判定手段と、充電エネルギー判定手段によって運動エネルギーが閾値以上であると判定された場合、当該運動エネルギーを充電エネルギーとして蓄積する充電エネルギー蓄積手段と、充電エネルギー蓄積手段によって蓄積された充電エネルギーを消耗させる充電エネルギー消耗手段と、を含む。
かかる構成により、本発明の一局面に係る運動エネルギー管理システムは、運動エネルギーが閾値以上であると判定された場合、充電エネルギー蓄積手段が、当該運動エネルギーを充電エネルギーとして蓄積するとともに、充電エネルギー消耗手段が、蓄積された充電エネルギーを消耗させるため、ユーザーに対して、適度な運動を継続して行う意欲やモチベーションをさらに向上させることができる。
【００１２】
また、好ましくは、充電エネルギー消耗手段は、充電エネルギー蓄積手段によって充電エネルギーが蓄積されて所定時間経過後に、蓄積されている充電エネルギーが０となるように単位時間当たり所定量を消耗させる。
かかる構成により、本発明の一局面に係る運動エネルギー管理システムは、充電エネルギー消耗手段が一定の割合で蓄積されている充電エネルギーを消耗させるため、ユーザーに対して継続して運動する意欲やモチベーションをさらに向上させることができる。
【００１３】
また、好ましくは、充電エネルギー提示手段は、充電エネルギー蓄積手段によって充電エネルギーが蓄積された時点で蓄積されている充電エネルギーに対して、蓄積されている充電エネルギーの割合である充電エネルギーメーターを表示する充電エネルギーメーター表示手段を含む。
かかる構成により、本発明の一局面に係る運動エネルギー管理システムは、充電エネルギーメーター表示手段が充電エネルギーメーターを表示するため、視覚的に把握され易く、ユーザーに対して継続して運動する意欲やモチベーションをさらに向上させることができる。
【００１４】
また、好ましくは、充電エネルギーメーター表示手段は、充電エネルギー蓄積手段によって充電エネルギーが蓄積された場合、充電エネルギーメーターを最大に更新する。
かかる構成により、本発明の一局面に係る運動エネルギー管理システムは、充電エネルギーが蓄積されると充電エネルギーメーターを適切に更新するため、ユーザーに対して継続して運動する意欲やモチベーションをさらに向上させることができる。
【００１５】
また、好ましくは、充電エネルギーメーター表示手段は、充電エネルギーメーター表示手段によって表示される充電エネルギーメーターが０となるまでの残時間を表示する残時間表示手段を含む。
かかる構成により、本発明の一局面に係る運動エネルギー管理システムは、残時間表示手段が充電エネルギーメーターが０となるまでの残時間を表示するため、次の運動をするまでの時間を直接的にユーザーに提示でき、ユーザーに対して継続して運動する意欲やモチベーションをさらに向上させることができる。
【００１６】
また、好ましくは、残時間表示手段は、充電エネルギー蓄積手段によって充電エネルギーが蓄積された場合、残時間を最大残時間に更新する。
かかる構成により、本発明の一局面に係る運動エネルギー管理システムは、次の運動をするまでの時間を適切に更新するため、ユーザーに対して継続して運動する意欲やモチベーションをさらに向上させることができる。
【００１７】
また、好ましくは、充電エネルギーメーター表示手段は、充電エネルギーメーター表示手段によって表示される充電エネルギーメーターが０にならずに維持された日数を表示する継続日数表示手段を含む。
かかる構成により、本発明の一局面に係る運動エネルギー管理システムは、継続日数表示手段が充電エネルギーメーターが０にならずに維持された日数を表示するため、ユーザーに対して継続して運動する意欲やモチベーションをさらに向上させることができる。
【００１８】
また、好ましくは、充電エネルギー提示手段は、運動エネルギー取得手段によって取得された運動エネルギーを充電エネルギーとして所定期間分表示する充電エネルギー表示手段を含む。
かかる構成により、本発明の一局面に係る運動エネルギー管理システムは、充電エネルギー表示手段が運動エネルギーを充電エネルギーとして所定期間分表示するため、ユーザーは運動実績が確認できることにより、ユーザーに対して継続して運動する意欲やモチベーションをさらに向上させることができる。
【００１９】
さらに、上述した本発明の一局面に係る運動エネルギー管理システムが行うそれぞれの処理は、一連の処理手順を与える運動エネルギー管理方法として捉えることができる。この方法は、一連の処理手順をコンピューターに実行させるためのプログラムの形式で提供される。このプログラムは、所定のサーバーからダウンロードする形態で、プログラムが格納された所定のサーバーにインターネット経由でアクセスする形態で、もしくはコンピューター読み取り可能な記録媒体に記録された形態で、コンピューターに導入されてもよい。また、上述した本発明の一局面に係る運動エネルギー管理システムを構成する一部又は全部の機能ブロックは、集積回路であるＬＳＩ（Ｌａｒｇｅ−Ｓｃａｌｅ  Ｉｎｔｅｇｒａｔｉｏｎ）等として実現されてもよい。
【発明の効果】
【００２０】
以上のように、本発明によれば、ユーザーに対して継続して運動する意欲やモチベーションを向上させることができる運動エネルギー管理システムおよび運動エネルギー管理方法を実現することができる。
【図面の簡単な説明】
【００２１】
【図１】本発明の一実施形態に係る運動エネルギー管理システム１００を示す機能ブロック図である。
【図２】本発明の一実施形態に係る運動エネルギー管理方法２００の処理の流れを示すフローチャートである。
【図３】蓄積されている充電エネルギーが消耗する様子を示す図である。
【図４】充電エネルギーメーター表示画面４００の一表示態様を示す図である。
【図５】1週間分の充電エネルギーを示す充電エネルギー表示画面５００の一表示態様を示す図である。
【図６】充電エネルギーメーター表示画面の日々更新に関する具体例を示す図である。
【発明を実施するための形態】
【００２２】
以下、本発明の一実施形態について、図面を参照しながら具体的に説明する。なお、以下で説明する実施形態は、あくまで、本発明を実施するための具体的な一例を挙げるものであって、本発明を限定的に解釈させるものではない。
【００２３】
＜一実施形態＞
図１は、本発明の一実施形態に係る運動エネルギー管理システム１００を示す機能ブロック図である。図１において、運動エネルギー管理システム１００は、運動エネルギー取得手段１１０と、充電エネルギー管理手段１２０と、充電エネルギー提示手段１３０とを備える。なお、充電エネルギー管理手段１２０は、充電エネルギー判定手段１２１と、充電エネルギー蓄積手段１２２と、充電エネルギー消耗手段１２３とを含む。充電エネルギー提示手段１３０は、充電エネルギーメーター表示手段１３１と、充電エネルギー表示手段１３２とを含む。
【００２４】
図２は、本発明の一実施形態に係る運動エネルギー管理方法２００の処理の流れを示すフローチャートである。図２において、運動エネルギー管理方法２００は、ステップＳ２１０〜Ｓ２６０を含み、各ステップはコンピューター等により実行される。
【００２５】
［運動エネルギー取得ステップ］
ステップＳ２１０において、運動エネルギー取得手段１１０は、運動エネルギーを取得する。ここで、運動エネルギーとは、ユーザーが運動した運動量を示すものであって、スポーツジムやフィットネスクラブ等で行う施設内運動（例えば、スタジオレッスン、筋力トレーニング、バイクエクササイズ、ジョギング、ウォーキング、スイミング等）、および施設外運動（例えば、ジョギング、ウォーキング、ストレッチ等）を、運動強度および運動時間等の要素に基づいてカロリーに換算したものである。また、例えば、通勤や通学、普段の生活での外出での徒歩または自転車による運動も当該施設外運動に含んでも構わない。どのような運動や活動を、運動エネルギー管理システム１００の運動エネルギー取得手段１１０によって運動エネルギーとして取得される対象にするかは、予め設定可能であって、目的や状況に応じて選択可能としても構わない。
【００２６】
具体的には、スポーツジムやフィットネスクラブに設置されている当該運動エネルギー管理システム１００の登録（入力）画面から、例えば、施設内での運動量（運動エネルギー）と施設外での運動量（運動エネルギー）とをユーザーに登録（入力）させる。なお、施設内での運動エネルギーは、施設内で行われるレッスンやトレーニング等をそれぞれ１単位として登録し、施設外での運動エネルギーは、例えば、１日分の歩行量（例えば、歩数、距離、時間など）を登録するものとする。
【００２７】
また、わざわざユーザーがスポーツジムやフィットネスクラブに行かなくても、ユーザーの自宅や職場にあるパソコン、携帯電話、スマートフォン、タブレット等から運動量（運動エネルギー）をユーザーに登録（入力）させても構わない。この場合、運動エネルギー管理システム１００は、インターネット等の通信回線を介してアクセス可能であって、例えば、サーバークライアント型システムやクラウドシステムとして構築されている。
【００２８】
また、運動エネルギー取得手段１１０は、ユーザーに登録（入力）させずに、自動的に、運動エネルギーを取得しても構わない。具体的には、例えば、ユーザーの施設への訪問情報や施設内で実施されているスタジオレッスンへの出欠情報に基づいて施設内運動の運動エネルギーを取得したり、インターネット等の通信回線を利用してユーザーに予め保持させた歩数計等から施設外運動の運動エネルギーを取得したりする。
【００２９】
［充電エネルギー管理ステップ］
ステップＳ２２０〜ステップＳ２５０において、充電エネルギー管理手段１２０は、ステップＳ２１０で運動エネルギー取得手段１１０によって取得された運動エネルギーを充電エネルギーとして管理する。具体的には、各ステップＳ２２０〜Ｓ２５０において詳細に説明する。
【００３０】
（充電エネルギー判定ステップ）
ステップＳ２２０において、充電エネルギー判定手段１２１は、ステップＳ２１０で運動エネルギー取得手段１１０によって取得された運動エネルギーが閾値以上であるか否かを判定する。そして、運動エネルギーが閾値以上の場合、ステップＳ２３０の処理へ進み（ステップＳ２２０のＹｅｓ）、運動エネルギーが閾値未満の場合、ステップＳ２４０の処理へ進む（ステップＳ２２０のＮｏ）。
【００３１】
ここで、閾値は、例えば、１２４ｋｃａｌに設定する。平均的なヒトの血液中には、ブドウ糖と遊離脂肪酸と中性脂肪とで約１２４ｋｃａｌの燃料（エネルギー源）があり、充電エネルギー判定手段１２１は、ユーザーが運動した運動量（運動エネルギー）が当該燃料以上であるか否かを判定する。運動量は、通常、運動強度×運動時間に基づいて算出されるが、１つの目安として、ジョギング３０分程度で約１２４ｋｃａｌと算出される。
【００３２】
ユーザーが運動した運動量（運動エネルギー）が閾値（ここでは、１２４ｋｃａｌ）未満であれば、元々血液中にある燃料すら消費することにならず、当該運動エネルギーをユーザーが運動した実績として、以降で示す充電エネルギーの蓄積には到達しないと判断する。
【００３３】
なお、ここでは、上述の理由により、閾値を１２４ｋｃａｌと設定したが、閾値の設定はこれに限定されるものでなく、例えば、ユーザーの性別、年齢、体格等により、種々の条件／状況に応じて設定すればよい。
【００３４】
また、充電エネルギー判定手段１２１は、施設内運動については各運動（例えば、レッスンやトレーニング等）に関する運動エネルギーがそれぞれ閾値以上であるか否かを判定し、施設外運動（例えば、歩行）に関する１日分の運動エネルギーが閾値以上であるか否かを判定することとする。
【００３５】
（充電エネルギー蓄積ステップ）
ステップＳ２３０において、充電エネルギー蓄積手段１２２は、ステップＳ２２０で充電エネルギー判定手段１２１によって運動エネルギーが閾値以上であると判定された場合、当該運動エネルギーを充電エネルギーとして蓄積する。
【００３６】
（充電エネルギー消耗ステップ）
ステップＳ２４０において、充電エネルギー消耗手段１２２は、蓄積されている充電エネルギーがあるか否かを判定する。そして、充電エネルギーがある場合、ステップＳ２５０の処理へ進み（ステップＳ２４０のＹｅｓ）、充電エネルギーがない場合、ステップＳ２６０の処理へ進む（ステップＳ２４０のＮｏ）。
【００３７】
ステップＳ２５０において、充電エネルギー消耗手段１２２は、蓄積されている充電エネルギーを消耗させる。ここで、充電エネルギーは、ステップＳ２３０で充電エネルギー蓄積手段１２２によって充電エネルギーが蓄積された時点から、一定速度で消耗されて、所定時間経過後に０となる。なお、所定時間は、例えば、７２時間とする。
【００３８】
図３は、蓄積されている充電エネルギーが消耗する様子を示す図である。図３において、充電エネルギーが蓄積された時点で、蓄積されている全充電エネルギーは、時間の経過とともに消耗されていき、７２時間経過後に０となっている。
【００３９】
これは、いくら充電エネルギーが蓄積されていたとしても、ユーザーが１２４ｋｃａｌ以上の運動をすることによって充電エネルギーが蓄積されてから７２時間で当該充電エネルギーが０になることを意味している。換言すれば、１２４ｋｃａｌ以上の運動をしてから７２時間以内に１２４ｋｃａｌ以上の運動をしなければ、蓄積されている充電エネルギーは全て０になることを意味している。
【００４０】
なお、ここでは、所定時間を７２時間と設定したが、所定時間の設定はこれに限定されるものでなく、例えば、適度な運動の目的をどのように設定するか、ユーザーの性別、年齢等を考慮して、種々の条件／状況に応じて設定すればよい。ここでは、１２４ｋｃａｌ以上の適度な運動の効果は時間の経過とともに薄れ、充電エネルギーが蓄積されてから３日程度で効果がなくなるため、運動しない時間を可能な限り短くすることが好ましいという観点で設定されている。
【００４１】
［充電エネルギー提示ステップ］
ステップＳ２６０において、充電エネルギー提示手段１３０は、ステップＳ２２０〜ステップＳ２５０で充電エネルギー管理手段１２０によって管理されている充電エネルギーを提示する。以下に、主に、充電エネルギーの表示態様について、詳しく説明する。
【００４２】
充電エネルギーメーター表示手段１３１は、ステップＳ２３０で充電エネルギー蓄積手段１２２によって充電エネルギーが蓄積された時点で蓄積されている充電エネルギーに対して、蓄積されている充電エネルギーの割合である充電エネルギーメーターを表示する。ここで、充電エネルギーメーターは、ステップＳ２３０で充電エネルギー蓄積手段１２２によって充電エネルギーが蓄積された時点で（たとえ充電エネルギーメーターの表示が０％であっても９９％であっても）１００％に更新するものとする。例えば、充電エネルギーの蓄積が０の状態から、ユーザーが１２４ｋｃａｌ以上の運動をしたとすると（ステップＳ２２０のＹｅｓ）、当該運動量を示す運動エネルギーを充電エネルギーとして蓄積されて（ステップＳ２３０）、充電エネルギーメーターは１００％と表示される。
【００４３】
図４は、充電エネルギーメーター表示画面４００の一表示態様を示す図である。図４において、充電エネルギーメーター表示画面４００は、充電エネルギーメーター４１０と、残時間表示部４２０と、残カロリー表示部４３０と、継続日数表示部４４０と、総充電エネルギー表示部４５０とを含む。
【００４４】
充電エネルギーメーター４１０は、上述したように充電エネルギー蓄積手段１２２によって充電エネルギーが蓄積された時点で蓄積されている充電エネルギーに対して蓄積されている充電エネルギーの割合を表示している。ここでは、充電という語から電池（バッテリー）を想起させることにより、電池にバッテリーがチャージされるような図を用いて、ユーザーに対して、視覚的に把握され易いようにしている。
【００４５】
なお、充電エネルギーメーターの表示態様は、これに限定されるものではなく、例えば、単に数値だけの表示でも構わないし、円グラフ、棒グラフ、タコメーター等の図を用いた表示でも構わない。
【００４６】
残時間表示部４２０は、充電エネルギーメーター４１０で示される充電エネルギーが０％になるまでの時間を表示している。上述したように、いくら充電エネルギーが蓄積されていたとしても（蓄積されていなかったとしても）、ユーザーが１２４ｋｃａｌ以上の運動をすることによって充電エネルギーが蓄積された時点で、当該表示は、７２時間に更新される。換言すれば、ユーザーが１２４ｋｃａｌ以上の運動をすることによって充電エネルギーが蓄積される都度、７２時間のタイマーがスタートすることになる。
【００４７】
このように、残時間表示部４２０に充電エネルギーメーター４１０で示される充電エネルギーが０％になるまでの時間を表示されるため、ユーザーにとっては、次に運動をするまでの時間を直接的に把握できる。
【００４８】
残カロリー表示部４３０は、充電エネルギーメーター４１０で示される充電エネルギーが０％になるまでのカロリーを表示している。上記充電エネルギーメーター４１０は、充電エネルギー蓄積手段１２２によって充電エネルギーが蓄積された時点で蓄積されている充電エネルギーに対して蓄積されている充電エネルギーの割合を表示するが、残カロリー表示部４３０では、残カロリーを表示する。これにより、実質的な残カロリーを把握することができる。
【００４９】
継続日数表示部４４０は、充電エネルギーメーター４１０で示される充電エネルギーが０％にならずに維持された日数を表示している。換言すると、充電エネルギーメーター４１０で示される充電エネルギーが０％になれば、継続日数表示部４４０は、０日にリセットされるため、ユーザーにとっては、継続して運動する意欲やモチベーションをさらに向上させることができる。
【００５０】
総充電エネルギー表示部４５０は、ユーザーが運動エネルギー管理システム１００の利用を開始してから蓄積した充電エネルギーの合計である総充電エネルギーを表示している。なお、総充電エネルギーには、１２４ｋｃａｌ以上の運動として充電エネルギーメーターに反映された運動エネルギーだけでなく、１２４ｋｃａｌ未満の運動として充電エネルギーメーターに反映されなかった運動エネルギーも加算される。これにより、ユーザーにとっては、日々少しずつ積み重ねてきた総充電エネルギーを把握することができ、継続して運動する意欲やモチベーションをさらに向上させることができる。
【００５１】
このように、充電エネルギーメーター表示画面４００について、その表示態様の一具体例を示したが、充電エネルギーメーター表示画面４００の表示態様はこれに限定されるものではない。例えば、上述したように、充電エネルギーメーター４１０は別の表示態様であっても構わないし、残時間表示部４２０、残カロリー表示部４３０、継続日数表示部４４０、および総充電エネルギー表示部４５０の表示態様も、図を用いて表示されても構わない。
【００５２】
また、これらの配置もユーザーの嗜好に合わせて変更可能であっても構わないし、ユーザーが参照したい表示項目のみを表示させるような態様でも構わない。さらには、一画面に表示されても構わないし、複数ページに渡って表示されても構わない。
【００５３】
また、充電エネルギーメーター４１０に表示される充電エネルギー、残時間表示部４２０に表示される残時間、および／または残カロリー表示部４３０に表示される残カロリーについて、残りわずかになると、表示色を変更したり、ユーザーにメールで通知したり、アラーム音を鳴動させたりすることによって、ユーザーに対して、継続して運動する意欲やモチベーションを維持させるように促すようにしても構わない。
【００５４】
一方、継続日数表示部４４０に表示される継続日数、および／または総充電エネルギー表示部４５０に表示される総充電エネルギーについて、所定値を越えると、表示色を変更したり、ユーザーにメールで通知したり、アラーム音を鳴動させたりすることによって、ユーザーに対して、継続して運動する意欲やモチベーションを維持させるように促すようにしても構わない。例えば、５０日や１００日、１０００ｋｃａｌや１００００ｋｃａｌ等のキリ番に到達した場合、または設定した目標値をクリアした場合等が考えられる。
【００５５】
ここまでは、蓄積される充電エネルギーに関して、充電エネルギーメーター表示画面４００について、その表示態様の一具体例を示したが、次に、ユーザーが運動した運動量を示す運動エネルギーを充電エネルギーとして表示する、その表示態様について一具体例を示す。
【００５６】
充電エネルギー表示手段１３２は、運動エネルギー取得手段１１０によって取得された運動エネルギーを充電エネルギーとして所定期間分表示する。
【００５７】
図５は、1週間分の充電エネルギーを示す充電エネルギー表示画面５００の一表示態様を示す図である。図５において、９月１日〜９月７日までの１週間分の充電エネルギーを表示している。１日毎の充電エネルギーとして、施設外運動と施設内運動とに分けて管理／表示されている。
【００５８】
１日の合計充電エネルギーが閾値である１２４ｋｃａｌ以上か否かによって、上述したように充電エネルギーメーターに反映される充電エネルギーとして蓄積されるか否かが判定される。ここで、図５に示した運動のうち、運動Ａ，Ｃ，Ｄ，Ｆ，Ｈ，Ｉは、充電エネルギーメーターに反映される充電エネルギーであって、運動Ｂ，Ｅ，Ｇは、充電エネルギーメーターに反映されない充電エネルギーである。なお、総充電エネルギーには、運動Ａ〜Ｉが全て加算されるようにしている。
【００５９】
なお、ここでは、９月１日〜９月７日までの１週間分の充電エネルギーを表示しているが、表示する期間は、１週間に限定されるものでなく、例えば、５日間、２週間、１ヶ月等であっても構わない。また、表示する期間は、予め設定された固定期間でも構わないし、ユーザーが自由に都度指定する期間であっても構わない。
【００６０】
さらに、表示態様は、図５に示したように棒グラフに限定されるものでなく、折れ線グラフであっても構わないし、１ページに表示できない場合には、複数ページに渡って表示するようにしても構わない。
【００６１】
このように、１日毎の充電エネルギーを所定期間分表示するため、ユーザーは運動した実績を履歴として容易に把握することができ、さらに、施設外運動と施設内運動とに分けて管理／表示されているため、スポーツジムやフィットネスクラブにどのくらいの頻度で行っているかも把握することができる。
【００６２】
次に、図４に示した充電エネルギーメーターと図５に示した充電エネルギーとの関連性について、一具体例を示しながら詳細に説明する。
【００６３】
図６は、充電エネルギーメーター表示画面の日々更新に関する具体例を示す図である。図６において、９月１日〜９月４日の充電エネルギーメーター表示画面６１０〜６４０をそれぞれ示している。
【００６４】
９月１日に５００ｋｃａｌの施設外運動を行ったとすると、１２４ｋｃａｌ以上の運動であるため充電エネルギーメーターに反映される充電エネルギーであって、充電エネルギーメーター表示画面６１０において、充電エネルギーメーターは１００％、残時間は７２時間、残カロリーは５００ｋｃａｌが表示される。また、継続日数は１日、総充電エネルギーは５００ｋｃａｌが表示される。
【００６５】
９月２日に１２０ｋｃａｌの施設外運動を行ったとすると、１２４ｋｃａｌ未満の運動であるため充電エネルギーメーターに反映されない充電エネルギーである。図３に示したように蓄積された充電エネルギーは時間の経過とともに消耗するため、充電エネルギーメーター表示画面６２０において、充電エネルギーメーターは６７％、残時間は４８時間が表示される。また、総充電エネルギーは、充電エネルギーメーターに反映されない場合でも加算されるようにしているため、６２０ｋｃａｌ（５００ｋｃａｌ＋１２０ｋｃａｌ）が表示される。継続日数は２日に更新される。
【００６６】
９月３日に１５０ｋｃａｌの施設外運動および１５０ｋｃａｌの施設内運動を行ったとすると、両者とも１２４ｋｃａｌ以上の運動であるため充電エネルギーメーターに反映される充電エネルギーである。図３に示したように蓄積された充電エネルギーは時間の経過とともに消耗するが、新たに充電エネルギー３００ｋｃａｌが蓄積される。したがって、充電エネルギーメーター表示画面６３０において、充電エネルギーメーターは１００％、残カロリーは４６７ｋｃａｌ（１６７ｋｃａｌ＋３００ｋｃａｌ）が表示される。また、残時間は、ユーザーが１２４ｋｃａｌ以上の運動をすることによって充電エネルギーが蓄積された時点で最大残時間７２時間に更新されるため、７２時間が表示され、継続日数は３日、総充電エネルギーは９２０ｋｃａｌ（６２０ｋｃａｌ＋３００ｋｃａｌ）が表示される。
【００６７】
９月４日に何も運動を行わなかったとすると、図３に示したように蓄積された充電エネルギーは時間の経過とともに消耗するため、充電エネルギーメーター表示画面６４０において、充電エネルギーメーターは６７％、残時間は４８時間が表示される。また、継続日数は４日、総充電エネルギーは９２０ｋｃａｌが表示される。
【００６８】
以上のように、本発明の一実施形態に係る運動エネルギー管理システム１００および運動エネルギー管理方法２００によれば、ユーザーに対して継続して運動する意欲やモチベーションを向上させることができる。
【００６９】
特に、充電エネルギー管理手段１２０はユーザーが運動した運動量を示す運動エネルギーを充電エネルギーとして管理し、充電エネルギー提示手段１３０は当該管理されている充電エネルギーを、ユーザーに対して継続して運動する意欲やモチベーションを向上させるように提示している。
【００７０】
なお、本発明に係る運動エネルギー管理システムは、例えば、スポーツジム等により提供され、表示装置、スマートフォンやタブレットと連携するコンピューターによって実現される。コンピューターは、スタンドアロン型であっても、サーバークライアント型システムであっても構わないし、近年、普及しているクラウドサービスとして提供されても構わない。
【００７１】
スタンドアロン型のシステムであれば、ユーザーは、スポーツジム等に設置されたコンピューターに運動エネルギーを登録したり、充電エネルギーメーターや充電エネルギーの履歴を確認したりする。一方、インターネット等の通信を介してアクセス可能であれば、ユーザーはスポーツジム等に訪問しなくても、自身のパソコン、スマートフォン、タブレット等の通信機器を用いて、自宅、職場、その他外出先からでも、運動エネルギーを登録したり、充電エネルギーメーターや充電エネルギーの履歴を確認したりできる。
【００７２】
また、本発明に係る運動エネルギー管理システムには、ユーザーを指導する、例えば、スポーツジムやフィットネスクラブのインストラクター等がアクセス可能であっても構わない。ここで、インストラクターからのアクセスは、スポーツジム等に設置されたコンピューターに直接アクセスしても構わないし、インターネット等の通信を介して自身のパソコン、スマートフォン、タブレット等の通信機器を用いて、外部からアクセス可能としても構わない。
【００７３】
インストラクターは、当該運動エネルギー管理システムにアクセスすることにより、例えば、自身が指導するユーザーの運動状況を把握することができ、さらには、当該運動状況に基づいて運動／トレーニング指導を行うようにしても構わない。
【００７４】
運動／トレーニング指導は、当該運動エネルギー管理システムに、ユーザーもアクセス可能な専用画面を設けても構わないし、既存の画面、例えば、充電エネルギー表示画面や充電エネルギー表示画面等にコメントを追記するようにしても構わないし、さらには、ユーザーにメール等で通知するような機能を設けたり、推奨運動プログラムを印刷可能な機能を備え、ユーザーの次回訪問時に渡すようにしたりしても構わない。
【００７５】
このように、当該運動エネルギー管理システムは、ユーザーを指導するインストラクターもアクセス可能とし、ユーザーとのコミュニケーション機能を備えることにより、ユーザーと当該ユーザーを指導するインストラクターとが情報を共有することができ、ユーザーにとっては、適切な運動／トレーニングを継続する意欲やモチベーションを向上させることができる。
【００７６】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００７７】
本発明は、運動エネルギーを管理するとともに運動エネルギーの蓄積量を提示する運動エネルギー管理システム等に利用可能である。
【符号の説明】
【００７８】
１００  運動エネルギー管理システム
１１０  運動エネルギー取得手段
１２０  充電エネルギー管理手段
１２１  充電エネルギー判定手段
１２２  充電エネルギー蓄積手段
１２３  充電エネルギー消耗手段
１３０  充電エネルギー提示手段
１３１  充電エネルギーメーター表示手段
１３２  充電エネルギー表示手段
２００  運動エネルギー管理方法
Ｓ２１０〜Ｓ２６０  運動エネルギー管理方法の各ステップ
４００、６１０〜６４０  充電エネルギーメーター表示画面
４１０  充電エネルギーメーター
４２０  残時間表示部
４３０  残カロリー表示部
４４０  継続日数表示部
４５０  総充電エネルギー表示部
５００  充電エネルギー表示画面
【図１】
0006646386.tif 000002
【図２】
0006646386.tif 000003
【図３】
0006646386.tif 000004
【図４】
0006646386.tif 000005
【図５】
0006646386.tif 000006
【図６】
0006646386.tif 000007